【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
アクセスポイント及び複数の端末を含む無線ネットワークでの端末の通信方法において、
前記アクセスポイントから受信した情報に基づきＴＸＯＰ（Ｔｒａｎｓｍｉｓｓｉｏｎ  Ｏｐｐｏｒｔｕｎｉｔｙ）デュレーション（ｄｕｒａｔｉｏｎ）の開始のためのアクティブ状態に動作させるか、又は前記アクティブ状態にある場合には前記アクティブ状態を保持するステップと、
前記ＴＸＯＰ中に前記アクセスポイントから、データストリーム及び、前記ＴＸＯＰの残った期間中の端末の動作状態を決定するために用いられるＴＸＯＰ情報を受信するステップと、
前記ＴＸＯＰ情報に基づいて前記ＴＸＯＰの残った期間中の端末の動作状態を決定するステップとを有し、
前記ＴＸＯＰデュレーションは、チャネルに対する送信機会を取得した前記アクセスポイントが前記端末のグループに前記データストリームを同時に送信する持続期間であることを特徴とする端末の通信方法。
【請求項２】
前記端末が前記アクセスポイントとの接続を行う間に、前記端末がパワーセービングモードをサポートするかどうかを示すパワーセービングモード指示子を含むフレームを前記アクセスポイントに送信するステップを更に有することを特徴とする請求項１に記載の端末の通信方法。
【請求項３】
前記パワーセービングモード指示子は、前記端末が前記パワーセービングモードをサポートする場合には第１論理値を有し、前記端末が前記パワーセービングモードをサポートしない場合には第２論理値を有することを特徴とする請求項１に記載の端末の通信方法。
【請求項４】
前記アクセスポイントから受信した前記アクセスポイントのパワーセービングモード指示子を確認するステップをさらに有し、
前記アクセスポイントのパワーセービングモード指示子は、前記端末に前記アクセスポイントが前記パワーセービングモードをサポートできるか否かに関する情報を含むことを特徴とする請求項１に記載の端末の通信方法。
【請求項５】
前記アクセスポイントに、前記端末の動作状態を示す情報を送信するステップをさらに有することを特徴とする請求項１に記載の端末の通信方法。
【請求項６】
前記端末の動作状態を決定するステップは、前記端末が前記パワーセービングモードをサポートするか否かに基づいて前記アクセスポイントから受信した前記ＴＸＯＰ情報に基づいて前記端末の動作状態を変更するステップを含むことを特徴とする請求項１に記載の端末の通信方法。
【請求項７】
前記端末の動作状態を変更するステップは、前記アクセスポイントから受信した前記ＴＸＯＰ情報に基づいて前記端末の動作状態をアウェイク（ａｗａｋｅ）状態又はスリープ（ｓｌｅｅｐ）状態のいずれか１つに変更するステップを含むことを特徴とする請求項６に記載の端末の通信方法。
【請求項８】
前記アクセスポイントから受信した前記ＴＸＯＰ情報は、前記端末を含むグループのＩＤ、前記ＴＸＯＰデュレーション中に前記端末に対応するデータストリームが前記アクセスポイントから送信されたことを示す情報、及び前記ＴＸＯＰデュレーションの残った期間中に前記端末に送信されるデータストリームがさらに存在するか否かを示す情報を含むことを特徴とする請求項６に記載の端末の通信方法。
【請求項９】
無線ネットワークでのアクセスポイントの通信方法において、
端末がアクティブ状態においてＴＸＯＰデュレーションを始めることを示す指示をパワーセービングモードをサポートする複数の端末に送信するステップと、
前記複数の端末各々に対しデータストリームと、前記ＴＸＯＰの残った期間中の端末の動作状態を決定するために用いられるＴＸＯＰ情報とを同時に送信するステップとを有し、
前記ＴＸＯＰデュレーションは、チャネルに対する送信機会（Ｔｒａｎｓｍｉｓｓｉｏｎ  Ｏｐｐｏｒｔｕｎｉｔｙ：ＴＸＯＰ）を取得した前記アクセスポイントが前記端末のグループにデータストリームを同時に送信する持続期間であることを特徴とするアクセスポイントの通信方法。
【請求項１０】
前記複数の端末に対して前記アクセスポイントが前記パワーセービングモードをサポートできるか否かに関する情報、又は前記パワーセービングモードのためのアクセスポイントのサポート能力に関する情報を送信するステップをさらに有することを特徴とする請求項９に記載のアクセスポイントの通信方法。
【請求項１１】
前記複数の端末に対して前記アクセスポイントが前記パワーセービングモードをサポートできるか否かに関する情報は、前記アクセスポイントのパワーセービングモード指示子を含むことを特徴とする請求項１０に記載のアクセスポイントの通信方法。
【請求項１２】
前記端末それぞれが前記アクセスポイントとの接続を行う間に、前記端末それぞれが前記パワーセービングモードをサポートするか否かを示すパワーセービングモード指示子を含むフレームを前記端末それぞれから受信するステップをさらに有することを特徴とする請求項９に記載のアクセスポイントの通信方法。
【請求項１３】
前記端末に前記ＴＸＯＰデュレーションに関する情報を含む送信機会設定フレーム（ＴＸＯＰ  ｓｅｔｔｉｎｇ  ｆｒａｍｅ）を送信するステップをさらに有し、
前記送信機会設定フレーム（ＴＸＯＰ  ｓｅｔｔｉｎｇ  ｆｒａｍｅ）は、前記端末が含まれたセル又はサービスセットに関する情報及び前記グループに関する情報を含み、
前記パワーセービングモードをサポートする端末及び前記パワーセービングモードをサポートしない端末の両方で復号化できるように生成されることを特徴とする請求項９に記載のアクセスポイントの通信方法。
【請求項１４】
前記データストリームを同時に送信するステップは、前記ＴＸＯＰデュレーション中に前記端末のうちアウェイク状態にある端末に前記データストリームを同時に送信するか、又はスリープ状態にある端末に前記送信するデータストリームをバッファリングするステップを含むことを特徴とする請求項９に記載のアクセスポイントの通信方法。
【請求項１５】
前記端末の動作状態を決定するために用いられるＴＸＯＰ情報は、前記端末を含むグループのＩＤ、前記ＴＸＯＰデュレーション中に前記少なくとも１つの端末に対応するデータストリームが前記アクセスポイントから送信されたか否かを示す情報、及び前記ＴＸＯＰデュレーションの残った期間中に前記少なくとも１つの端末に送信されるデータストリームがさらに存在するか否かを示す情報の内の少なくとも１つを含むことを特徴とする請求項９に記載のアクセスポイントの通信方法。
【請求項１６】
プロセッサによってアクセスポイント及び複数の端末を含む無線ネットワークでの端末の通信方法を実現するプログラム命令を含む持続性コンピュータ読出可能記録媒体において、
前記通信方法は、前記アクセスポイントから受信した情報に基づきＴＸＯＰ（Ｔｒａｎｓｍｉｓｓｉｏｎ  Ｏｐｐｏｒｔｕｎｉｔｙ）デュレーション（ｄｕｒａｔｉｏｎ）の開始のためのアクティブ状態に動作させるか、又は前記アクティブ状態にある場合には前記アクティブ状態を保持するステップと、
前記ＴＸＯＰ中に前記アクセスポイントから、データストリーム及び、前記ＴＸＯＰの残った期間中の端末の動作状態を決定するために用いられるＴＸＯＰ情報を受信するステップと、
前記ＴＸＯＰ情報に基づいて前記ＴＸＯＰの残った期間中の端末の動作状態を決定するステップとを有し、
前記ＴＸＯＰデュレーションは、チャネルに対する送信機会を取得した前記アクセスポイントが前記端末のグループに前記データストリームを同時に送信する持続期間であることを特徴とする持続性コンピュータ読出可能記録媒体。
【請求項１７】
アクティブパワーセービングモードで動作する端末において、
アクセスポイントから、前記端末が送信機会（Ｔｒａｎｓｍｉｓｓｉｏｎ  Ｏｐｐｏｒｔｕｎｉｔｙ：ＴＸＯＰ）の開始中に前記アクセスポイントによって執行される（ｓｅｒｖｅｄ）グループに含まれることを示す指示子を含むデータフレームを受信し、前記ＴＸＯＰ中にデータストリームを受信し、前記ＴＸＯＰの残った期間中の端末の動作状態を決定するために用いられるＴＸＯＰ情報を受信する受信部と、
前記ＴＸＯＰ情報に基づく前記ＴＸＯＰの残った期間中に前記端末のパワーセービングモードを制御する制御部とを備えることを特徴とする端末。
【請求項１８】
前記指示子は、前記データフレームのＶＨＴ−ＳＩＧ（ｖｅｒｙ  ｈｉｇｈ  ｔｈｒｏｕｇｈｐｕｔ  ｓｉｇｎａｌ）フィールドに含まれるＮＳＴＳ（ｎｕｍｂｅｒ  ｏｆ  ｓｔａｔｅ  ｔｉｍｅ  ｓｐａｃｅ）の個数を含むことを特徴とする請求項１７に記載の端末。
【請求項１９】
前記データフレームは、前記ＴＸＯＰデュレーションの残った期間中に前記端末に対するデータ送信が完了したかどうかを示すＭＤＢ（Ｍｏｒｅ  Ｄａｔａ  Ｂｉｔ）をさらに含むことを特徴とする請求項１７に記載の端末。
【請求項２０】
前記ＭＤＢは、前記データフレームのＭＡＣ（Ｍｅｄｉａ  Ａｃｃｅｓｓ  Ｃｏｎｔｒｏｌ）ヘッダに含まれることを特徴とする請求項１９に記載の端末。
【請求項２１】
前記端末は、アクセスポイントによって取得された前記ＴＸＯＰの間に前記端末がデータを受信することを示すＮＳＴＳフィールドを含むデータフレームに応答し、
前記制御部は、前記端末を次のデータフレーム中に端末が働くアクティブ状態に動作させることを特徴とする請求項１７に記載の端末。
【請求項２２】
前記端末は、アクセスポイントによって取得された前記ＴＸＯＰの間に前記端末がデータを受信することを示すＮＳＴＳフィールドを含むデータフレーム、及びアクセスポイントによって取得されたＴＸＯＰの残った期間中に端末が追加的なデータを受信しないことを示すＭＤＢを含むデータフレームに応答し、
前記制御部は、前記端末が前記データフレームに含まれるデータの受信を終了した後に、次のデータフレームで端末が働かないスリープ状態に動作させることを特徴とする請求項１７に記載の端末。
【請求項２３】
前記アクセスポイントに、前記端末がＴＸＯＰデュレーション中に前記パワーセービングモードで動作できるか否かを示すパワーセービングモード指示子を含むデータフレームを送信する送信部をさらに備えることを特徴とする請求項１７に記載の端末。
【請求項２４】
前記パワーセービングモード指示子は、アソシエイション要請フレーム（ａｓｓｏｃｉａｔｉｏｎ  ｒｅｑｕｅｓｔ  ｆｒａｍｅ）のｃａｐａｂｉｌｉｔｙ／ｓｕｐｐｏｒｔフィールドに含まれることを特徴とする請求項２３に記載の端末。
【請求項２５】
前記受信部は、前記アクセスポイントから、前記アクセスポイントがＴＸＯＰデュレーション中にパワーセービングモードをサポートできるか否かを示すサポート能力要素（ｃａｐａｂｉｌｉｔｙ  ｅｌｅｍｅｎｔ）又は情報要素（ｉｎｆｏｒｍａｔｉｏｎ  ｅｌｅｍｅｎｔ）を含むビーコンフレームを受信することを特徴とする請求項１７に記載の端末。
【請求項２６】
アクセスポイント及び複数の端末を含む無線ネットワークでのパワー管理システムであって、
前記複数の端末がＴＸＯＰデュレーションに対してパワーセービングモードで動作するか否かについての指示を前記複数の端末に送信し、前記複数の端末各々に対しデータストリームと、前記ＴＸＯＰデュレーションに対する端末各々の動作状態を決定するために用いられるＴＸＯＰ情報とを同時に送信する前記アクセスポイントと、
前記ＴＸＯＰ情報に基づき前記ＴＸＯＰデュレーションに対する動作状態を決定する前記複数の端末と有し、
前記ＴＸＯＰデュレーションは、チャネルに対する送信機会（Ｔｒａｎｓｍｉｓｓｉｏｎ  Ｏｐｐｏｒｔｕｎｉｔｙ：ＴＸＯＰ）を取得した前記アクセスポイントが前記複数の端末に前記データストリームを送信することを許可された持続期間であることを特徴とするパワー管理システム。
【請求項２７】
前記端末各々は、前記アクセスポイントとの接続を行う間に、前記端末がパワーセービングモードをサポートするかどうかを示すパワーセービングモード指示子を含むフレームを前記アクセスポイントに送信することを特徴とする請求項２６に記載のパワー管理システム。
【請求項２８】
前記端末各々は、前記アクセスポイントから受信した前記ＴＸＯＰ情報に基づいて、前記端末の動作状態をアウェイク（ａｗａｋｅ）状態又はスリープ（ｓｌｅｅｐ）状態のいずれか１つに変更することを特徴とする請求項２６に記載のパワー管理システム。
【請求項２９】
前記アクセスポイントは、前記複数の端末に対し、前記パワーセービングモードをサポートできるか否かに関する情報、及び前記パワーセービングモードのためのアクセスポイントのサポート能力に関する情報の内の少なくとも１つを送信することを特徴とする請求項２６に記載のパワー管理システム。
【請求項３０】
前記端末の動作状態を決定するために用いられる前記ＴＸＯＰ情報は、前記端末を含むグループのＩＤ、前記ＴＸＯＰデュレーション中に前記端末に対応するデータストリームが前記アクセスポイントから送信されたか否かを示す情報、及び前記ＴＸＯＰデュレーションの残った期間中に前記端末に送信されるデータストリームがさらに存在するか否かを示す情報を含むことを特徴とする請求項２６に記載のパワー管理システム。